(57)【特許請求の範囲】
【請求項１】
工具本体に回転軸を回転可能に取付け、回転軸の先端にボルトを嵌合するためのソケットを備え、これらの工具本体、回転軸及びソケット廻りに構成され、ワークの位置ずれを防止する位置ずれ防止機構を備え、この位置ずれ防止機構のガイド部材でワークを位置決めした状態でボルトを締め付ける締結用工具において、
位置ずれ防止機構は、前記回転軸に相対的回転可能にスリーブを嵌合し、前記ワークに設けた少なくとも２個のボルト孔に対し前記ソケットを一方のボルト孔に合せたときに他のボルト孔に嵌合するガイド部材を前記スリーブから延設し、前記ガイド部材の回転軸に対する相対回転を規制する廻り止め部材を前記工具本体から延設したものであり、
前記ソケットに嵌合したボルトを一方のボルト孔に挿入し、前記ガイド部材を他方のボルト孔に嵌合させ前記ワークの位置決めをすることを特徴とする締付用工具。
【請求項２】
前記スリーブを、前記回転軸に対し軸方向摺動自在に弾性部材にて保持したことを特徴とする請求項１記載の締付用工具。
【請求項３】
前記ガイド部材に、前記他方のボルト孔に挿入するガイドピンを備え、このガイドピンは、前記軸方向に平行な方向及び直交する方向に位置調整可能にしたことを特徴とする請求項１記載の締付用工具。
【発明の詳細な説明】
【０００１】
【発明の属する技術分野】
本発明は、ボルト孔を有するワークに、順にボルトを締め付けるけるときに使用する締付用工具に関する。
【０００２】
【従来の技術】
図６（ａ），（ｂ）は従来のワークを母材にボルト締めするための準備手順を示す説明図であり、先ず、（ａ）において、ボルト孔１０１ａ，１０１ｂを開けたワーク１０１と、ねじ孔１０２ａ，１０２ｂを開けた母材１０２とを、矢印の如く母材１０２にワーク１０１を合せ、次に、（ｂ）において、ボルト１０３ａ，１０３ｂを準備し、図７（ａ）〜（ｃ）にてワーク１０１を母材１０２にボルト締めする。
【０００３】
図７（ａ）〜（ｃ）は従来のねじ締結用工具を使ったボルト締め作業の手順を示す説明図であり、先ず、（ａ）において、一方のボルト孔１０１ａにボルト１０３ａを貫通させ、このボルト１０３を母材１０２にねじ締付用工具１１０で仮止めする。
この仮止めは、ボルト１０３ａをねじ締めするときに、他方のねじ孔１０２ｂから他方のボルト孔１０１ｂがずれて、ボルト１０３ｂを他方のねじ孔１０２ｂに捩じ込むことができなくなることを防止するための作業であり、次に、（ｂ）において、他方のボルト孔１０２ｂ（図６参照）にボルト１０３ｂを貫通させ、このボルト１０３ｂを母材１０２に捩じ込む。その後、再度、（ｃ）において、一方のねじ孔１０２ａ（図６参照）に仮止めしたボルト１０３ａを、捩じ込むことで母材１０２にワーク１０１を締結することにより完了する。
【０００４】
一方、位置ずれ防止機能を備える締付用工具として、例えば実願昭６３−４１４８２号公報「ネジ締め付け用治具」が知られている。
上記技術は、同公報の第２図によれば、ケース１０（符号は同公報の符号を流用した）に切欠き１２を形成し、この切欠き１２にナット１６でコネクタ１４を取付けるときに使用するネジ締め付け用治具であって、枠体３８に回転可能に取付けたシャフト４０と、このシャフト４０の先端に取付けたレンチ４２と、枠体３８にケース１０を位置決めするガイド部材４６，４８とから構成したものである。
【０００５】
【発明が解決しようとする課題】
前述した「ねじ締付用治具１１０」においては、一方のねじ孔１０２ａにボルト１０３ａを捩じ込むときに、他方のボルト孔１０１ｂ（図６参照）と他方のねじ孔１０２ｂとの位置ずれを防止するために、仮止め作業が必要であり、ボルト締めの作業性の向上を図ることが困難である。
後述した「上記のネジ締め付け用治具」においては、ケース１０（以下、「第１のワーク」とよぶ）が大きいものであったり、コネクタ１４（以下、「第２のワーク」とよぶ）が大型化すると共に汎用化が難しいということがあった。
そこで、第１・第２のワークが大きい場合にも簡単に対応でき、フレキシビリティに富み、且つ簡易的に締結作業をすることのできる位置ずれ防止機能を備えた締付用工具が望まれる。
【０００６】
すなわち、本発明の目的は、フレキシビリティに富み、且つ締結作業の工数の低減をすることのできる位置ずれ防止機能を備えた締付用工具を提供することにある。
【０００７】
【課題を解決するための手段】
上記目的を達成するために請求項１は、工具本体に回転軸を回転可能に取付け、回転軸の先端にボルトを嵌合するためのソケットを備え、これらの工具本体、回転軸及びソケット廻りに構成され、ワークの位置ずれを防止する位置ずれ防止機構を備え、この位置ずれ防止機構のガイド部材でワークを位置決めした状態でボルトを締め付ける締結用工具において、位置ずれ防止機構は、回転軸に相対的回転可能にスリーブを嵌合し、ワークに設けた少なくとも２個のボルト孔に対しソケットを一方のボルト孔に合せたときに他のボルト孔に嵌合するガイド部材をスリーブから延設し、ガイド部材の回転軸に対する相対回転を規制する廻り止め部材を工具本体から延設したものであり、ソケットに嵌合したボルトを一方のボルト孔に挿入し、ガイド部材を他方のボルト孔に嵌合させワークの位置決めをすることを特徴とする。
【０００８】
少なくとも２個のボルト孔を有するワークにおいて、一方のボルト孔にボルトを締めるときに、他方のボルト孔がずれることを防止できるとすれば、作業性を向上する上で好ましいことである。
そこで、位置ずれ防止機構を、回転軸に相対的回転可能にスリーブを嵌合し、ワークに設けた少なくとも２個のボルト孔に対しソケットを一方のボルト孔に合せたときに他のボルト孔に嵌合するガイド部材をスリーブから延設し、ガイド部材の回転軸に対する相対回転を規制する廻り止め部材を工具本体から延設することで、ソケットに嵌合したボルトを一方のボルト孔に挿入し、ガイド部材を他方のボルト孔に嵌合させワークの位置決めをし、ワークの連れ回り現象を抑えるようにした。
すなわち、一方のボルト孔にボルトを締めるときに、他方のボルト孔がずれることを防止することで、ボルト締め作業の作業性の向上を図る。
【０００９】
請求項２は、スリーブを回転軸に対し軸方向摺動自在に弾性部材にて保持したことを特徴とする。
スリーブを回転軸に対し軸方向摺動自在に弾性部材にて保持することで、回転軸をスリーブを保持する部材としての機能も兼ねさせることで、締結用部材のコストの低減を図る。
【００１０】
請求項３は、ガイド部材に、他方のボルト孔に挿入するガイドピンを備え、このガイドピンを、軸方向に平行な方向及び直交する方向に位置調整可能にしたことを特徴とする。
ワークのねじ孔のピッチの違いに対処すると共に、ワークのねじ孔を形成する部分の凹凸に対して対処する。すなわち、凹凸のあるワークにも対応することができる。ガイド部材を軸方向に平行な方向及び直交する方向に位置調整可能にすることで、締結用工具のフレキシビリティの増大を図る。
【００１１】
【発明の実施の形態】
本発明の実施の形態を添付図に基づいて以下に説明する。なお、図面は符号の向きに見るものとする。
図１は本発明に係る締付用工具の斜視図であり、締付用工具１０は、工具本体１１と、この工具本体１１に収納した回転手段１２と、この回転手段１２で回転させる回転軸１３と、この回転軸１３の先端に取付けたソケット１４と、これらの工具本体１１、回転軸１２及びソケット１４廻りに構成した位置ずれ防止機構２０とからなる。
【００１２】
工具本体１１は、位置ずれ防止機構２０の構成部品の支持部１６と、回転手段１２をＯＮ／ＯＦＦをするスイッチボタン１７とを備える。
回転軸１３は、回転手段１２にチャックするためのチャック部１３ａを形成したものであり、ソケット１４は、ボルト頭（不図示）に嵌合させるためのボルト嵌合部１３ａを形成したものである。
【００１３】
図２は本発明に係る締付用工具の位置ずれ防止機構の分解斜視図である。
位置ずれ防止機構２０は、回転軸１３に貫通させるスリーブ２１と、このスリーブ２１に一端を取付ける棒状部材２２と、この棒状部材２２の他端に取付けるガイド部材２３と、スリーブ２１をソケット１４側に押し出す弾性部材としてのスプリング２４と、このスプリング２４に所定の弾発力を付加するためのストッパリング２５と、棒状部材２２の廻り止めをする廻り止め部材２６と、スリーブ２１に棒状部材２２の一端をロックするロックナット２７と、ガイド部材２３に棒状部材２２の他端ロックするロックナット２８とからなる。
【００１４】
スリーブ２１は、円筒状のスリーブ本体３１と、このスリーブ本体３１の円筒外面３１ａに取付けることで棒状部材２２の一端を支持するスタッド３２と、スリーブ本体３１の円筒内面３１ｂに一体的に取付けるカラー３３，３３とからなる。３２ａはスタッド３２に形成しためねじ部である。
棒状部材２２は、Ｌ字状に形成した部材であり、スタッド３２に一端を取付け、他端にガイド部材２３を取付けることで、回転軸１３の軸方向に向けてガイド部材２３を支持する部材である。２２ａ，２２ｂは棒状部材２２の両端に形成したおねじ部である。
【００１５】
ガイド部材２３は、棒状部材２２の他端に取付けるガイド部材本体３４と、このガイド部材本体３４に形成したガイドピン３５とからなる。３４ａはガイド部材本体３４に形成しためねじ部である。
ストッパリング２５は、回転軸１３に止めることでスプリング２４に所定の弾発力を付加する部材であって、回転軸１３に止めるための止めねじ３６を備える。
廻り止め部材２６は、工具本体１１の支持部１６に止めるブラケット３７と、このブラケット３７に一体的に取付けたガイドバー３８とからなる。
【００１６】
ガイドバー３８は、ブラケット３７に取付ける取付け部３８ａと、取付け部３８ａから略Ｌ字に曲げ形成した延出部３８ｂと、この延出部３８ｂからＵ字に曲げ形成することで、棒状部材２２を回転軸１３の軸方向にスライド可能に支持すると共に、棒状部材２２が回転軸１３廻りに連れ回ることを防止するガイド部３８ｃとを形成したものである。
なお、３９，３９は工具本体１１の支持部１６に廻り止め部材２６を取付ける取付けねじである。
【００１７】
図３は本発明に係る締付用工具の側面図であり、締付用工具１０は、工具本体１１に回転軸１３を回転可能に取付け、回転軸１３の先端にボルト４３ａを嵌合するためのソケット１４を備え、回転軸１３上にガイド部材２３を保持させ、このガイド部材１３でワーク４１を位置決めした状態でボルト４１ａを締め付ける締結用工具において、回転軸１３に相対的回転可能にスリーブ２１を嵌合し、ワーク４１に設けた少なくとも２個のボルト孔４１ａ，４１ｂに対しソケット１４を一方のボルト孔４１ａに合せたときに他のボルト孔４１ｂに嵌合するガイド部材２３をスリーブ２１から延設し、ガイド部材２３の回転軸１３に対する相対回転を規制する廻り止め部材２６を工具本体１１から延設し、ソケット１４に嵌合したボルト４３ａを一方のボルト孔４１ａに挿入し、ガイド部材２３を他方のボルト孔４１ｂに嵌合させワーク４１の位置決めをするようにしたものであると言える。
【００１８】
少なくとも２個のボルト孔を有するワーク４１において、一方のボルト孔４１ａにボルト４３ａを締めるときに、他方のボルト孔４１ｂがずれることを防止できるとすれば、作業性を向上する上で好ましいことである。
そこで、回転軸１３に相対的回転可能にスリーブ２１を嵌合し、ワーク４１に設けた少なくとも２個のボルト孔４１ａ，４１ｂに対しソケット１４を一方のボルト孔４１ａに合せたときに他のボルト孔４１ｂに嵌合するガイド部材２３をスリーブ２１から延設し、ガイド部材２３の回転軸１３に対する相対回転を規制する廻り止め部材２６を工具本体１１から延設し、ソケット１４に嵌合したボルト４３ａを一方のボルト孔４１ａに挿入し、ガイド部材２３を他方のボルト孔４１ｂに嵌合させワーク４１の位置決めをし、ワーク４１の連れ回り現象を抑えるようにした。
すなわち、一方のボルト孔４１ａにボルト４３ａを締めるときに、他方のボルト孔４３ｂがずれることを防止することで、ボルト締め作業の作業性の向上を図る。
【００１９】
締付用工具１０は、スリーブ２１を回転軸１３に対し軸方向摺動自在にスプリング２４にて保持したこのであるとも言える。
スリーブ２１を回転軸１３に対し軸方向摺動自在にスプリング２４にて保持したので、回転軸１３をスリーブ２１を保持する部材としての機能も兼ねさせることができる。この結果、締結用部材１０のコストの低減を図ることができる。
【００２０】
締付用工具１０は、ガイド部材２３を軸方向に平行な方向及び直交する方向に位置調整可能にしたものであるとも言える。
ワーク４１のねじ孔４１ａ，４１ｂのピッチの違いに対処すると共に、ワーク４１のねじ孔４１ａ，４１ｂを形成する部分の凹凸に対して対処することができる。すなわち、凹凸のあるワークにも対応することができる。
ガイド部材２３を軸方向に平行な方向及び直交する方向に位置調整可能にすることで、締結用工具１０のフレキシビリティの増大を図ることができる。
【００２１】
以上に述べた締付用工具１０の作用を次に説明する。
図４（ａ），（ｂ）は本発明に係る締付用工具の作用説明図（その１）である。
（ａ）において、締付用工具１０は、棒状部材２２におねじ部２２ａ，２２ｂを形成し、スリーブ２１のスタッド３２にめねじ部３２ａを形成し、ガイド部材２３のガイド部材本体３４にめねじ部３４ａを形成し、おねじ部２２ａ，２２ｂをロックするロックナット２７，２８を備えたので、ガイド部材２３を軸方向に平行な方向及び直交する方向に位置調整可能にしたものであることを示す。
先ず、ピッチが定まっている一組のボルト孔４１ａ，４１ｂを有するワーク４１を、このワーク４１に同一のピッチで開けた一組のねじ孔４２ａ，４２ｂを有する母材４２に重ねる。
そして、ソケット１４にボルト４３ａを嵌合させ、一方のボルト孔４１ａにボルト４３ａを嵌め、他方のボルト孔４１ｂ及び他方のねじ孔４２ｂにガイド部材２３のガイドピン３５を差込む。
【００２２】
（ｂ）において、ソケット１４を矢印▲１▼の如く回転させ、ボルト４３ａを回転させる。このときに、ソケット１４及び回転軸１３は矢印▲２▼の如くワーク４１側に前進し、スリーブ２１、棒状部材２２及びガイド部材２３は矢印▲３▼の如く後退する。
【００２３】
図５（ａ），（ｂ）は本発明に係る締付用工具の作用説明図（その２）である。
（ａ）において、ソケット１４にボルト４３ｂを嵌合させ、矢印▲４▼の如く他方のボルト孔４１ｂ及びねじ孔４２ｂに向けてボルト嵌めを開始する。
（ｂ）において、ソケット１４を矢印▲５▼の如く回転させ、ボルト４３ｂを回転させる。このとき、ガイド部材２３のガイドピン３５の先端はワーク４１に当たり、ソケット１４及び回転軸１３は矢印▲６▼の如くワーク４１側に前進させると、スリーブ２１、棒状部材２２及びガイド部材２３は矢印▲７▼の如く後退する。従って、位置ずれ防止機構２０を必要としない箇所のねじ締め作業も可能である。
【００２４】
尚、実施の形態では図１に示すように回転軸１３の先端をソケット１４にしたが、これに限るものではなく、回転軸の先端は、ドライバビットなどの工具を取付けるものであってもよい。
【００２５】
【発明の効果】
本発明は上記構成により次の効果を発揮する。
請求項１は、位置ずれ防止機構を、回転軸に相対的回転可能にスリーブを嵌合し、ワークに設けた少なくとも２個のボルト孔に対しソケットを一方のボルト孔に合せたときに他のボルト孔に嵌合するガイド部材をスリーブから延設し、ガイド部材の回転軸に対する相対回転を規制する廻り止め部材を工具本体から延設して構成し、ソケットに嵌合したボルトを一方のボルト孔に挿入し、ガイド部材を他方のボルト孔に嵌合させワークの位置決めをするようにしたので、ワークの連れ回り現象を抑えることができる。この結果、一方のボルト孔にボルトを締めるときに、他方のボルト孔がずれることを防止することができるので、ボルト締め作業の作業性の向上を図ることができる。
【００２６】
請求項２は、スリーブを回転軸に対し軸方向摺動自在に弾性部材にて保持するようにしたので、回転軸をスリーブを保持する部材としての機能も兼ねさせることができる。この結果、締結用部材のコストの低減を図ることができる。
【００２７】
請求項３は、ガイド部材に、他方のボルト孔に挿入するガイドピンを備え、このガイドピンを、軸方向に平行な方向及び直交する方向に位置調整可能にするようにしたので、例えば、ワークのねじ孔のピッチの違いに対処すると共に、ワークのねじ孔を形成する部分の凹凸に対して対処することができる。この結果、締結用工具のフレキシビリティの増大を図ることができる。
【図面の簡単な説明】
【図１】本発明に係る締付用工具の斜視図
【図２】本発明に係る締付用工具の位置ずれ防止機構の分解斜視図
【図３】本発明に係る締付用工具の側面図
【図４】本発明に係る締付用工具の作用説明図（その１）
【図５】本発明に係る締付用工具の作用説明図（その２）
【図６】従来のワークを母材にボルト締めするための準備手順
【図７】従来のねじ締結用工具を使ったボルト締め作業の手順を示す説明図
【符号の説明】
１０…締付用工具、１１…工具本体、１３…回転軸、１４…ソケット、２１…スリーブ、２２…棒状部材、２３…ガイド部材、２４…弾性部材（スプリング）、２６…廻り止め部材、４１…ワーク、４１ａ…一方のボルト孔、４１ｂ…他方のボルト孔、４３ａ、４３ｂ…ボルト。
【図１】
0003945983.tif 000002
【図２】
0003945983.tif 000003
【図３】
0003945983.tif 000004
【図４】
0003945983.tif 000005
【図５】
0003945983.tif 000006
【図６】
0003945983.tif 000007
【図７】
0003945983.tif 000008